(57)【要約】【課題】  ワイヤハーネスの固定位置のバラツキを低減して寸法精度の向上を図る三次元配索用プロテクタ、及びこの三次元配索用プロテクタを用いてのワイヤハーネスの配索方法を提供する。【解決手段】  第一ハーネス配索部２６、第二ハーネス配索部２７、及び第三ハーネス配索部２８は、ワイヤハーネス２２の三方向に分岐するハーネス分岐部分２３〜２５の二つ２３、２５を第一ハーネス配索部２６及び第三ハーネス配索部２８に配索すると、ハーネス分岐部分の二つ２３、２５が作業平面２９に対して略同一平面となり、第三ハーネス配索部２８を中心に回転させつつハーネス分岐部分の残り一つ２４を第二ハーネス配索部２７に配索すると、ハーネス分岐部分の残り一つ２４が作業平面２９に対して略同一平面となる位置関係を有する。【選択図】    図３
2007068240.tif 000002
【特許請求の範囲】
【請求項１】
第一ハーネス配索部、第二ハーネス配索部、及び第三ハーネス配索部を有するプロテクタであって、前記第一ハーネス配索部及び前記第二ハーネス配索部は、略くの字状の配置となる第一の位置関係を有し、前記第三ハーネス配索部は、前記略くの字状における屈曲部分に相当する位置に連続する配置となる第二の位置関係を有し、さらに、前記第一ハーネス配索部、前記第二ハーネス配索部、及び前記第三ハーネス配索部は、ワイヤハーネスの三方向に分岐するハーネス分岐部分の二つを前記第一ハーネス配索部及び前記第三ハーネス配索部に配索すると、前記ハーネス分岐部分の二つが作業平面に対して略同一平面となり、前記第三ハーネス配索部を中心に回転させつつ前記ハーネス分岐部分の残り一つを前記第二ハーネス配索部に配索すると、前記ハーネス分岐部分の残り一つが前記作業平面に対して略同一平面となる第三の位置関係を有する
ことを特徴とする三次元配索用プロテクタ。
【請求項２】
請求項１に記載の三次元配索用プロテクタにおいて、
前記略くの字状における前記屈曲部分に相当する位置に、前記第一ハーネス配索部及び前記第二ハーネス配索部に連続する円弧状の面を形成する
ことを特徴とする三次元配索用プロテクタ。
【請求項３】
請求項１又は請求項２に記載の三次元配索用プロテクタを用いてのワイヤハーネスの配索方法であって、
前記ワイヤハーネスの三方向に分岐するハーネス分岐部分のうちの二つのハーネス分岐部分を、作業平面に対して略同一平面の状態となるよう、前記三次元配索用プロテクタにおける三つの配索部のうちの二つの配索部に配索する第一工程と、
前記二つのハーネス分岐部分を配索した前記二つの配索部のうち、一方の配索部を中心にして前記三次元配索用プロテクタを回転させる第二工程と、
前記三次元配索用プロテクタを回転させた後、前記ハーネス分岐部分の残り一つを、前記作業平面に対して略同一平面の状態となるよう、前記配索部の残り一つに配索する第三工程と、
を含む
ことを特徴とする三次元配索用プロテクタにおけるワイヤハーネスの配索方法。
【発明の詳細な説明】
【技術分野】
【０００１】
本発明は、ワイヤハーネスの三方向に分岐するハーネス分岐部分を配索して保護する三次元配索用プロテクタと、この三次元配索用プロテクタを用いてのワイヤハーネスの配索方法とに関する。
【背景技術】
【０００２】
ワイヤハーネスを立体的に分岐配索し、プロテクタでワイヤハーネスの分岐部分を保護する例としては、下記特許文献１の開示技術が知られている。以下、図８及び図９を参照しながら下記特許文献１の開示技術における作用を簡単に説明する。図８は従来例のプロテクタの斜視図、図９は従来例のワイヤハーネスの配索状態を示す斜視図である。
【０００３】
図８及び図９において、先ず、プロテクタ１をワイヤハーネス配索治具（ホーク）２の間に配置する。プロテクタ１は、予め蓋体３を外した状態にあり、プロテクタ本体４の側壁５のカバー６を開けた状態にもなっている。次に、ワイヤハーネス配索治具２を用いてワイヤハーネス７をプロテクタ１上で配索する。この時、プロテクタ１は、側壁５のカバー６を開いた状態にあるとともに、切り欠き部８を開放した状態にある。従って、ワイヤハーネス７の立体的な配索を行う分岐線９は、切り欠き部８内に挿通される。ここまでの工程におけるワイヤハーネス７は、図９に示すように平面的に配索される。
【０００４】
ワイヤハーネス７の配索を終えると、続いて、蓋体３をプロテクタ本体４に嵌合させる。そして、ワイヤハーネス７の分岐線９を垂直に折り曲げ、この垂直に折り曲げた分岐線９を蓋体３の開口部１０に挿通し、最後に側壁５のカバー６を閉じる。側壁５のカバー６は、先端の係止部材１１が相手側被係止部材１２に嵌入して係止される。必要に応じて分岐筒１３或いはカバー６の上からテープ巻き（図示省略）を施すと、分岐線９の固定が完了する。
【特許文献１】特公平６−６９２６１号公報  （第２頁、第１−２図）
【発明の開示】
【発明が解決しようとする課題】
【０００５】
ところで、上記従来技術にあっては、ワイヤハーネス７の分岐線９を垂直に折り曲げ、この垂直に折り曲げた分岐線９を蓋体３の開口部１０に挿通する作業を行うことから、次のような問題点が生じている。すなわち、分岐線９を垂直に折り曲げる際に、作業者が分岐線９を必要以上に引き上げてしまい、これによって分岐線９の固定位置にバラツキが出てしまうという問題点が生じている。分岐線９の引き上げ度合いは、作業者によっても差があり、このため従来では、配索に係る寸法公差を大きく設定して対処するようなことがなされている。
【０００６】
本発明は、上述した事情に鑑みてなされたもので、ワイヤハーネスの固定位置のバラツキを低減して寸法精度の向上を図る三次元配索用プロテクタ、及びこの三次元配索用プロテクタを用いてのワイヤハーネスの配索方法を提供することを課題とする。
【課題を解決するための手段】
【０００７】
上記課題を解決するためになされた請求項１記載の本発明の三次元配索用プロテクタは、第一ハーネス配索部、第二ハーネス配索部、及び第三ハーネス配索部を有するプロテクタであって、前記第一ハーネス配索部及び前記第二ハーネス配索部は、略くの字状の配置となる第一の位置関係を有し、前記第三ハーネス配索部は、前記略くの字状における屈曲部分に相当する位置に連続する配置となる第二の位置関係を有し、さらに、前記第一ハーネス配索部、前記第二ハーネス配索部、及び前記第三ハーネス配索部は、ワイヤハーネスの三方向に分岐するハーネス分岐部分の二つを前記第一ハーネス配索部及び前記第三ハーネス配索部に配索すると、前記ハーネス分岐部分の二つが作業平面に対して略同一平面となり、前記第三ハーネス配索部を中心に回転させつつ前記ハーネス分岐部分の残り一つを前記第二ハーネス配索部に配索すると、前記ハーネス分岐部分の残り一つが前記作業平面に対して略同一平面となる第三の位置関係を有することを特徴としている。
【０００８】
請求項２記載の本発明の三次元配索用プロテクタは、請求項１に記載の三次元配索用プロテクタにおいて、前記略くの字状における前記屈曲部分に相当する位置に、前記第一ハーネス配索部及び前記第二ハーネス配索部に連続する円弧状の面を形成することを特徴としている。
【０００９】
上記課題を解決するためになされた請求項３記載の本発明の三次元配索用プロテクタを用いてのワイヤハーネスの配索方法は、請求項１又は請求項２に記載の三次元配索用プロテクタを用いてのワイヤハーネスの配索方法であって、前記ワイヤハーネスの三方向に分岐するハーネス分岐部分のうちの二つのハーネス分岐部分を、作業平面に対して略同一平面の状態となるよう、前記三次元配索用プロテクタにおける三つの配索部のうちの二つの配索部に配索する第一工程と、前記二つのハーネス分岐部分を配索した前記二つの配索部のうち、一方の配索部を中心にして前記三次元配索用プロテクタを回転させる第二工程と、前記三次元配索用プロテクタを回転させた後、前記ハーネス分岐部分の残り一つを、前記作業平面に対して略同一平面の状態となるよう、前記配索部の残り一つに配索する第三工程と、を含むことを特徴としている。
【００１０】
以上のような特徴を有する本発明によれば、先ずはじめに、ワイヤハーネスの三方向に分岐するハーネス分岐部分の二つが、作業平面に対して略同一平面の状態で、三次元配索用プロテクタの第一ハーネス配索部及び第三ハーネス配索部に配索される。次に、第三ハーネス配索部を中心にして三次元配索用プロテクタを回転させると、第二ハーネス配索部の位置が変わる。具体的には、第二ハーネス配索部の位置が作業平面に対して略同一平面となる位置に変わる。これにより最後に、ハーネス分岐部分の残り一つが、作業平面に対して略同一平面の状態で、第二ハーネス配索部に配索される。
【００１１】
本発明によれば、ワイヤハーネスのハーネス分岐部分は、立体的に配索作業が行われるような配索でなく、常に作業平面にて配索作業が行われるような配索になる。その他、本発明によれば、三次元配索用プロテクタは円弧状の面を有することから、この円弧状の面にハーネス分岐部分を添わせて配索すると、三次元配索用プロテクタとハーネス分岐部分との間の遊びがなくなり、又は遊びが低減されて、寸法精度よく配索作業が行われるようになる。
【発明の効果】
【００１２】
請求項１、３に記載された本発明によれば、ワイヤハーネスの固定位置のバラツキを低減して寸法精度の向上を図ることができるという効果を奏する。また、請求項２に記載された本発明によれば、ワイヤハーネスを円弧状の面に添わせて遊びをなくし、結果、寸法精度の向上を図ることができるという効果を奏する。
【発明を実施するための最良の形態】
【００１３】
以下、図面を参照しながら説明する。図１は本発明の三次元配索用プロテクタの一実施の形態を示す図である。また、図２〜７は本発明の三次元配索用プロテクタを用いてのワイヤハーネスの配索方法の説明図である。
【００１４】
図１において、引用符号２１は本発明の三次元配索用プロテクタを示している。三次元配索用プロテクタ２１は、絶縁性を有する合成樹脂製の構造体であって、後述するワイヤハーネス２２（図３〜図７参照）の三方向に分岐するハーネス分岐部分２３〜２５（図３〜図７参照）を配索して保護することができるように形成されている。尚、三次元配索用プロテクタ２１の固定先としては、特に限定するものではないが、例えば自動車等の移動体のパネルが一例として挙げられるものとする。先ず、三次元配索用プロテクタ２１の構造について説明する。
【００１５】
三次元配索用プロテクタ２１は、三つの配索部を有している。すなわち、三次元配索用プロテクタ２１は、第一ハーネス配索部２６と、第二ハーネス配索部２７と、第三ハーネス配索部２８とを有している。これら三つの配索部に関しては、次のような三つの位置関係が成り立つように配置及び形成がなされている。
【００１６】
具体的に説明すると、第一ハーネス配索部２６及び第二ハーネス配索部２７は、略くの字状の配置となる第一の位置関係が成り立つように配置及び形成がなされている。また、第三ハーネス配索部２８は、前記略くの字状における屈曲部分に相当する位置に連続するような配置となる第二の位置関係が成り立つように配置及び形成がなされている。
【００１７】
さらに、第一ハーネス配索部２６、第二ハーネス配索部２７、及び第三ハーネス配索部２８は、後述する作業平面２９（図２〜図７参照）に対して第一ハーネス配索部２６及び第三ハーネス配索部２８が略同一平面となり、第三ハーネス配索部２８を中心にして三次元配索用プロテクタ２１を回転させると、作業平面２９（図２〜図７参照）に対して第二ハーネス配索部２７が略同一平面となる第三の位置関係が成り立つように配置及び形成がなされている。
【００１８】
第一ハーネス配索部２６の底壁３０と第二ハーネス配索部２７の底壁３１は、本形態において、９０度の角度がつくように配置形成されている（一例であるものとする。鈍角や鋭角であってもよいものとする）。第一ハーネス配索部２６には、この第一ハーネス配索部２６の開口部分を覆うカバー３２が形成されている。カバー３２は、一方の側壁３３の端部にヒンジ３４を介して連成されている。カバー３２には、係止突起３５が形成されており、他方の側壁３６の被係止部３７に嵌入して係止されるようになっている。
【００１９】
第二ハーネス配索部２７には、第一ハーネス配索部２６と同様に、開口部分を覆うカバー３８が形成されている。カバー３８は、一方の側壁３９の端部にヒンジ４０を介して連成されている。カバー３８には、係止突起４１が形成されており、他方の側壁４２の被係止部４３に嵌入して係止されるようになっている。
【００２０】
第三ハーネス配索部２８は、第一ハーネス配索部２６の他方の側壁３６及び第二ハーネス配索部２７の他方の側壁４２の間に位置する切り欠き部４４と、この切り欠き部４４の縁部に連続する略１／４円弧状の突出壁４５と、切り欠き部４４の反対側に位置する壁４６とを有している。壁４６は、第一ハーネス配索部２６の一方の側壁３３及び第二ハーネス配索部２７の一方の側壁３９に連成されている。第一ハーネス配索部２６の底壁３０と第二ハーネス配索部２７の底壁３１との間には、円弧状の面を有する円弧状底壁４７が連成されている。
【００２１】
次に、図２ないし図７を参照しながら、上記三次元配索用プロテクタ２１を用いてのワイヤハーネス２２の配索方法について説明する。尚、ワイヤハーネス２２の配索に関し、ここでは手順１〜手順６を順に経て配索がなされるものとする（手順１〜手順３が特許請求の範囲に記載した第一工程、手順４が第二工程、手順５〜手順６が第三工程に相当するものとする）。
【００２２】
図２は手順１に関する説明図である。手順１においては、三次元配索用プロテクタ２１のセットがなされる。三次元配索用プロテクタ２１は、特に図示しないが、ワイヤハーネス配索治具（ホーク）の間にセットされる。三次元配索用プロテクタ２１は、プロテクタ固定治具４８に固定されて、第一ハーネス配索部２６及び第三ハーネス配索部２８が作業平面２９に対して略同一平面となるようにセットされる。尚、プロテクタ固定治具４８の形状及び固定位置は一例であるものとする。三次元配索用プロテクタ２１は、プロテクタ固定治具４８によって所定位置にセットされる。三次元配索用プロテクタ２１は、第一ハーネス配索部２６のカバー３２及び第二ハーネス配索部２７のカバー３８が共に開いた状態のままでセットされる。作業平面２９は、水平方向の面であるものとし、手順（工程）の中で高さ方向の位置が変わる場合があってもよいものとする。
【００２３】
図３は手順２に関する説明図である。手順２においては、ワイヤハーネス２２の配索が開始される。ワイヤハーネス２２は、三方向に分岐するハーネス分岐部分２３〜２５を有している（ワイヤハーネス２２の太さは一例であるものとする）。ハーネス分岐部分２３は、第一ハーネス配索部２６に収容されるような格好で配索される。また、ハーネス分岐部分２５は、第三ハーネス配索部２８に配索される。ハーネス分岐部分２３〜２５は、図からも分かるように、作業平面２９に対して略同一平面となるように配索される。
【００２４】
図４は手順３に関する説明図である。手順３においては、例えば符号Ｔの位置においてテープ巻き（図示省略）が施され、ハーネス分岐部分２３及びハーネス分岐部分２５がそれぞれ固定される。また、第一ハーネス配索部２６のカバー３２が閉じられてハーネス分岐部分２３が完全に収容される。
【００２５】
図５は手順４に関する説明図である。手順４においては、三次元配索用プロテクタ２１がプロテクタ固定治具４８から取り外される。又は、三次元配索用プロテクタ２１からプロテクタ固定治具４８が取り外される。また、手順４においては、プロテクタ固定治具４８にぶつからない位置で三次元配索用プロテクタ２１が矢印方向に回転させられる。三次元配索用プロテクタ２１は、第三ハーネス配索部２８を中心にして９０度回転（第一ハーネス配索部２６の底壁３０と第二ハーネス配索部２７の底壁３１の角度に応じて回転）させられ、第二ハーネス配索部２７が作業平面２９に対して略同一平面となるようにセットされる。
【００２６】
図６は手順５に関する説明図である。手順５においては、ワイヤハーネス２２のハーネス分岐部分２４の配索が行われる。ハーネス分岐部分２４は、本形態において、例えばこのハーネス分岐部分２４の自重に任せて折り曲げられ、そして、第二ハーネス配索部２７に収容されるような格好で配索される。尚、この時、ハーネス分岐部分２３及びハーネス分岐部分２４の連続部分は、上記円弧状の面に添って配索される（図示省略）。
【００２７】
図７は手順６に関する説明図である。手順６においては、例えば符号Ｔの位置においてテープ巻き（図示省略）が施され、ハーネス分岐部分２４が固定される。また、第二ハーネス配索部２７のカバー３８が閉じられてハーネス分岐部分２４が完全に収容される。これにより、一連の作業が完了する。
【００２８】
以上、図１ないし図７を参照しながら説明してきたように、本発明によれば、ワイヤハーネス２２のハーネス分岐部分２３〜２５が、従来例のような立体的な配索作業（例えば分岐線を必要以上に引き上げてしまうような作業を含む）でなく、常に作業平面２９にて行われるような配索作業になっている。従って、本発明によれば、ワイヤハーネス２２の固定位置のバラツキを従来よりも格段に低減して寸法精度の向上を図ることができるようになっている。
【００２９】
その他、本発明は本発明の主旨を変えない範囲で種々変更実施可能なことは勿論である。
【図面の簡単な説明】
【００３０】
【図１】本発明の三次元配索用プロテクタの一実施の形態を示す図である。
【図２】本発明の三次元配索用プロテクタを用いてのワイヤハーネスの配索方法の説明図（手順１）である。
【図３】本発明の三次元配索用プロテクタを用いてのワイヤハーネスの配索方法の説明図（手順２）である。
【図４】本発明の三次元配索用プロテクタを用いてのワイヤハーネスの配索方法の説明図（手順３）である。
【図５】本発明の三次元配索用プロテクタを用いてのワイヤハーネスの配索方法の説明図（手順４）である。
【図６】本発明の三次元配索用プロテクタを用いてのワイヤハーネスの配索方法の説明図（手順５）である。
【図７】本発明の三次元配索用プロテクタを用いてのワイヤハーネスの配索方法の説明図（手順６）である。
【図８】従来例のプロテクタの斜視図である。
【図９】従来例のワイヤハーネスの配索状態を示す斜視図である。
【符号の説明】
【００３１】
２１  三次元配索用プロテクタ
２２  ワイヤハーネス
２３〜２５  ハーネス分岐部分
２６  第一ハーネス配索部
２７  第二ハーネス配索部
２８  第三ハーネス配索部
２９  作業平面
４７  円弧状底壁
４８  プロテクタ固定治具
【図１】
2007068240.tif 000003
【図２】
2007068240.tif 000004
【図３】
2007068240.tif 000005
【図４】
2007068240.tif 000006
【図５】
2007068240.tif 000007
【図６】
2007068240.tif 000008
【図７】
2007068240.tif 000009
【図８】
2007068240.tif 000010
【図９】
2007068240.tif 000011